(57)【要約】【課題】部品点数を抑制して、携帯端末を確実に充電する。【解決手段】携帯端末１０の端部を挿入する凹部Ｃが設けられ、凹部Ｃの挿入方向に直交する横断面が矩形状に形成された充電台２０であって、凹部Ｃの１つの側面Ｆに対応する側部Ｓには、携帯端末１０の端部に当接する当接部１６及び携帯端末１０の端子部９に当接する接点部１７を有する充電レバー１５が設けられ、充電レバー１５は、当接部１６に携帯端末１０の端部が当接することにより、接点部１７が凹部Ｃの１つの側面Ｆから突出するように構成されている。【選択図】図３
2014079088.tif 000002
【特許請求の範囲】
【請求項１】
携帯端末の端部を挿入する凹部が設けられ、該凹部の挿入方向に直交する横断面が矩形状に形成された充電台であって、
上記凹部の１つの側面に対応する側部には、上記携帯端末の端部に当接する当接部、及び上記携帯端末の端子部に当接する接点部を有する充電レバーが設けられ、
上記充電レバーは、上記当接部に上記携帯端末の端部が当接することにより、上記接点部が上記凹部の１つの側面から突出するように構成されていることを特徴とする充電台。
【請求項２】
請求項１に記載された充電台において、
上記凹部の挿入方向に直交する横断面は、長方形状であり、
上記凹部の１つの側面は、上記横断面の短辺に沿っていることを特徴とする充電台。
【請求項３】
請求項１又は２に記載された充電台において、
上記充電レバーは、上記当接部及び接点部の間に該充電レバーを回転自在に支持する回転軸を有していることを特徴とする充電台。
【請求項４】
請求項３に記載された充電台において、
上記接点部及び回転軸の間の長さは、上記当接部及び回転軸の間の長さよりも長くなっていることを特徴とする充電台。
【発明の詳細な説明】
【技術分野】
【０００１】
本発明は、充電台に関し、特に、携帯端末を充電するための充電台に関するものである。
【背景技術】
【０００２】
携帯電話機などの携帯端末では、例えば、端末本体を充電台にセットすることにより、端末本体に設けられた端子部と充電台に設けられた接点部とを接触させて、端末本体に内蔵された２次電池を充電する充電方式が主流になっている。
【０００３】
例えば、特許文献１には、電池を内蔵する携帯機器を挿入できる脱着凹部を有するケースと、脱着凹部の一方の対向内面から出力端子を突出させる接点レバーと、他方の対向内面から脱着凹部に突出する突出部を有するロックレバーと、接点レバー及びロックレバーを脱着位置及びセット位置に傾動させるボタンレバーと、ボタンレバーをロックレバー及び接点レバーに連結する連結機構とを備えた充電台が開示されている。
【先行技術文献】
【特許文献】
【０００４】
【特許文献１】特開２０１０−６３３１８号公報
【発明の概要】
【発明が解決しようとする課題】
【０００５】
ところで、上記特許文献１のように、接点レバー、ロックレバー及びボタンレバーなどの互いに連結された複数のレバーを備えた充電台では、確実に充電することができるものの、部品点数が多くなってしまうので、改善の余地がある。
【０００６】
本発明は、かかる点に鑑みてなされたものであり、その目的とするところは、部品点数を抑制して、携帯端末を確実に充電することにある。
【課題を解決するための手段】
【０００７】
上記目的を達成するために、本発明は、携帯端末の端部に当接する当接部、及び携帯端末の端子部に当接する接点部を有する充電レバーを充電台の凹部の側面に対応する側部に設けるようにしたものである。
【０００８】
具体的に本発明に係る充電台は、携帯端末の端部を挿入する凹部が設けられ、該凹部の挿入方向に直交する横断面が矩形状に形成された充電台であって、上記凹部の１つの側面に対応する側部には、上記携帯端末の端部に当接する当接部、及び上記携帯端末の端子部に当接する接点部を有する充電レバーが設けられ、上記充電レバーは、上記当接部に上記携帯端末の端部が当接することにより、上記接点部が上記凹部の１つの側面から突出するように構成されていることを特徴とする。
【０００９】
上記凹部の挿入方向に直交する横断面は、長方形状であり、上記凹部の１つの側面は、上記横断面の短辺に沿っていてもよい。
【００１０】
上記充電レバーは、上記当接部及び接点部の間に該充電レバーを回転自在に支持する回転軸を有していてもよい。
【００１１】
上記接点部及び回転軸の間の長さは、上記当接部及び回転軸の間の長さよりも長くなっていてもよい。
【発明の効果】
【００１２】
本発明によれば、携帯端末の端部に当接する当接部、及び携帯端末の端子部に当接する接点部を有する充電レバーが充電台の凹部の側面に対応する側部に設けられているので、部品点数を抑制して、携帯端末を確実に充電することができる。
【図面の簡単な説明】
【００１３】
【図１】本発明の実施形態に係る充電台の使用態様を示す斜視図である。
【図２】本発明の実施形態に係る充電台の内部構造を示す斜視図である。
【図３】本発明の実施形態に係る充電台の使用態様を連続的に示す第１の断面図である。
【図４】本発明の実施形態に係る充電台の使用態様を連続的に示す第２の断面図である。
【図５】本発明の実施形態に係る充電台の使用態様を連続的に示す第３の断面図である。
【図６】本発明の実施形態に係る充電台の使用態様を連続的に示す第４の断面図である。
【発明を実施するための形態】
【００１４】
以下、本発明の実施形態を図面に基づいて詳細に説明する。なお、本発明は、以下の実施形態に限定されるものではない。
【００１５】
図１〜図６は、本発明に係る充電台の１つの実施形態を示している。ここで、本実施形態では、充電台で充電する携帯端末として、スマートフォンと呼ばれる携帯電話機を例示する。具体的に、図１は、携帯電話機１０を充電する充電台２０の使用態様を示す斜視図である。また、図２は、充電台２０の内部構造を一部を切り開いた状態で示す斜視図である。
【００１６】
ここで、携帯電話機１０は、図１に示すように、表示画面Ｄに、例えば、液晶表示パネルや有機ＥＬ（electroluminescence）表示パネルなどの表示パネル、及び静電容量方式のタッチパネルが設けられた、いわゆる、スマートフォンである。また、携帯電話機１０は、図１に示すように、平面視で角部が円弧状になった略矩形の平板状に形成されている。また、携帯電話機１０の端部Ｅの側面には、図１に示すように、充電用の正負の一対の端子部９が設けられている。
【００１７】
充電台２０は、図１及び図２に示すように、携帯電話機１０の端部Ｅを挿入及び収容するための凹部Ｃが設けられた樹脂製の筐体１９と、凹部Ｃの１つの側面Ｆに対応する側部Ｓに設けられた樹脂製の充電レバー１５とを備えている。ここで、凹部Ｃは、図１及び図２に示すように、携帯電話機１０の挿入方向に直交する横断面が長方形状（矩形状）になっている。そして、凹部Ｃの１つの側面Ｆは、図２に示すように、凹部Ｃの横断面の短辺に沿っている。
【００１８】
充電レバー１５は、図２に示すように、携帯電話機１０の端部Ｅの側面に当接する当接部１６と、携帯電話機１０の一対の端子部９にそれぞれ当接する正負の一対の接点部１７とを備えている。ここで、各接点部１７は、充電レバー１５に板ばねを介して固定された金属製の接点ピンなどにより構成されている。また、一対の接点部１７には、例えば、筐体１９に内蔵された又は外部の充電回路（不図示）が接続されている。
【００１９】
また、充電レバー１５は、図２に示すように、回転軸Ａを介して回転自在に筐体１９に支持されている。そして、充電レバー１５は、図２に示すように、当接部１６に携帯電話機１０の端部Ｅが当接することにより、回転軸Ａを中心に回転して、一対の接点部１７が凹部Ｃの側面Ｆから突出するように構成されている。ここで、充電レバー１５において、回転軸Ａ側の接点部１７及び回転軸Ａの間の長さＬａは、後述する図３に示すように、当接部１６及び回転軸Ａの間の長さＬｂよりも長くなっている。なお、筐体１９の凹部Ｃの側面Ｆ及び底面には、図２に示すように、当接部１６及び一対の接点部１７の各移動の妨げにならないにように、開口部が設けられている。
【００２０】
次に、本実施形態の充電台２０の使用方法について説明する。ここで、図３、図４、図５及び図６は、充電台２０の使用態様を連続的に示す第１、第２、第３及び第４の断面図である。
【００２１】
まず、図３に示すように、充電台２０の凹部Ｃに携帯電話機１０の端部Ｅを挿入する。このとき、充電レバー１５の当接部１６は、図３に示すように、凹部Ｃの側面Ｆから突出している。
【００２２】
続いて、図４に示すように、携帯電話機１０の凹部Ｃへの挿入をさらに進めると、携帯電話機１０の端部Ｅが充電レバー１５の当接部１６に当接し始める。このとき、充電レバー１５は、図４に示すように、未だ静止している。
【００２３】
そして、図５に示すように、携帯電話機１０の凹部Ｃへの挿入をさらに進めると、充電レバー１５が回転軸Ａを中心に図中反時計回りに回転し始める。
【００２４】
最後に、図６に示すように、携帯電話機１０の凹部Ｃへの挿入をさらに進め、携帯電話機１０の端部Ｅの端面を充電台２０の凹部Ｃの底面に当接させると、充電レバー１５が回転軸Ａを中心に図中反時計回りに回転することにより、充電レバー１５の各接点部１７が携帯電話機１０の各端子部９に当接する。
【００２５】
以上のようにして、充電台２０に携帯電話機１０がセットされ、その後、充電台２０の各接点部１７から携帯電話機１０の各端子部９に電力を供給することにより、携帯電話機１０を充電することができる。
【００２６】
以上説明したように、本実施形態の充電台２０によれば、筐体１９の凹部Ｃの１つの側面Ｆに対応する側部Ｓに対して、携帯電話機１０の端部Ｅに当接する当接部１６、及び携帯電話機１０の一対の端子部９に当接する一対の接点部１７を有する充電レバー１５が設けているので、携帯電話機１０の充電に際して動作するレバーが１つだけになり、充電台２０を構成する部品点数を抑制することができる。そして、充電レバー１５では、当接部１６に携帯電話機１０の端部Ｅが当接することにより、各接点部１７が凹部Ｃの側面Ｆから突出するようになっているので、携帯電話機１０の各端子部９に充電台２０の各接点部１７が確実に当接して、携帯電話機１０を確実に充電することができる。したがって、部品点数を抑制して、携帯電話機１０を確実に充電することができる。
【００２７】
また、本実施形態の充電台２０によれば、携帯電話機１０の充電に際して動作するレバーが充電レバー１５だけであるので、例えば、互いに連結された複数のレバーを備えた充電台よりも、レバーの動作に起因する摩擦ロスが少なくなり、充電台２０に対する携帯電話機１０の装着をスムーズにすることができる。
【００２８】
また、本実施形態の充電台２０によれば、携帯電話機１０の端部Ｅに当接する当接部１６が筐体１９の凹部Ｃの１つの側面Ｆに対応する側部Ｓに設けられているので、充電台２０の当接部１６が携帯電話機１０の端部Ｅの側面に当接することになる。これにより、携帯電話機１０の挿入方向と反対側の方向に携帯電話機１０の挿入に起因する浮き上がる力が作用しなくなるので、携帯電話機１０の側面に凹状の保持部を設ける必要がなくなる。
【００２９】
また、本実施形態の充電台２０によれば、充電レバー１５において、接点部１７及び回転軸Ａの間の長さＬａが当接部１６及び回転軸Ａの間の長さＬｂよりも長くなっているので、携帯電話機１０を挿入する際の当接部１６の移動量が少なくても、接点部１７を大きく移動させることができる。
【００３０】
なお、本実施形態では、筐体を備えた中空の充電台を例示したが、本発明は、筐体を備えない略中実の充電台にも適用することができる。
【００３１】
また、本実施形態では、携帯端末の側面で充電する充電台を例示したが、本発明は、携帯端末の背面などの他の表面で充電する充電台にも適用することができる。
【００３２】
また、本実施形態では、平板状の携帯端末を充電するために、挿入方向に直交する横断面が矩形状の凹部が設けられた充電台を例示したが、本発明は、携帯端末の形状に対応する凹部が設けられた充電台にも適用することができる。
【００３３】
また、本実施形態では、携帯端末として、スマートフォンと呼ばれる携帯電話機を例示したが、本発明は、折畳み式やスライド式などの携帯電話機にも適用することができる。
【００３４】
また、本実施形態では、携帯端末として、スマートフォンと呼ばれるタッチパネルを備えた携帯電話機を例示したが、本発明は、タッチパネルを有さない携帯電話機にも適用することができる。
【００３５】
また、本実施形態では、携帯端末として、スマートフォンと呼ばれる携帯電話機を例示したが、本発明は、スマートフォン以外の携帯電話機、ＰＨＳ（Personal Handy-phone System）、ＰＤＡ(Personal Digital Assistant)、電子書籍端末、パソコン、モバイルツール、ゲーム機などにも適用することができる。
【００３６】
以上説明したように、本発明に係る充電台２０は、携帯端末１０の端部Ｅを挿入する凹部Ｃが設けられ、該凹部Ｃの挿入方向に直交する横断面が矩形状に形成された充電台２０であって、上記凹部Ｃの１つの側面Ｆに対応する側部Ｓには、上記携帯端末１０の端部Ｅに当接する当接部１６、及び上記携帯端末１０の端子部９に当接する接点部１７を有する充電レバー１５が設けられ、上記充電レバー１５は、上記当接部１６に上記携帯端末１０の端部Ｅが当接することにより、上記接点部１７が上記凹部Ｃの１つの側面Ｆから突出するように構成されていることを特徴とする。
【００３７】
上記の構成によれば、凹部Ｃの１つの側面Ｆに対応する側部Ｓに対して、携帯端末１０の端部Ｅに当接する当接部１６、及び携帯端末１０の端子部９に当接する接点部１７を有する充電レバー１５が設けているので、携帯端末１０の充電に際して動作するレバーが１つだけになり、充電台２０を構成する部品点数を抑制することができる。そして、充電レバー１５では、当接部１６に携帯端末１０の端部Ｅが当接することにより、接点部１７が凹部Ｃの側面Ｆから突出するようになっているので、携帯端末１０の端子部９に充電台２０の接点部１７が確実に当接して、携帯端末１０を確実に充電することができる。したがって、部品点数を抑制して、携帯端末１０を確実に充電することができる。
【００３８】
また、上記の構成によれば、携帯端末１０の充電に際して動作するレバーが充電レバー１５だけであるので、例えば、互いに連結された複数のレバーを備えた充電台よりも、レバーの動作に起因する摩擦ロスが少なくなり、充電台２０に対する携帯端末１０の装着をスムーズにすることができる。
【００３９】
また、上記の構成によれば、携帯端末１０の端部Ｅに当接する当接部１６が凹部Ｃの１つの側面Ｆに対応する側部Ｓに設けられているので、充電台２０の当接部１６が携帯端末１０の端部Ｅの側面に当接することになる。これにより、携帯端末１０の挿入方向と反対側の方向に携帯端末１０の挿入に起因する浮き上がる力が作用しなくなるので、携帯端末１０の側面に凹状の保持部を設ける必要がなくなる。
【００４０】
上記凹部Ｃの挿入方向に直交する横断面は、長方形状であり、上記凹部Ｃの１つの側面Ｆは、上記横断面の短辺に沿っていてもよい。
【００４１】
上記の構成によれば、凹部Ｃの挿入方向に直交する横断面が長方形状であり、凹部Ｃの１つの側面Ｆが上記横断面の短辺に沿っているので、平面視で矩形の平板状に形成された携帯端末１０の側面に対して、充電台２０の当接部１６が具体的に当接することになる。
【００４２】
上記充電レバー１５は、上記当接部１６及び接点部１７の間に該充電レバー１５を回転自在に支持する回転軸Ａを有していてもよい。
【００４３】
上記の構成によれば、充電レバー１５が当接部１６及び接点部１７の間に充電レバー１５を回転自在に支持する回転軸Ａを有しているので、充電レバー１５が回転軸Ａを中心に回転することにより、当接部１６及び接点部１７が凹部Ｃの外側方向及び内側方向という互いに反対方向に具体的に移動することになる。
【００４４】
上記接点部１７及び回転軸Ａの間の長さＬａは、上記当接部１６及び回転軸Ａの間の長さＬｂよりも長くなっていてもよい。
【００４５】
上記の構成によれば、充電レバー１５において、接点部１７及び回転軸Ａの間の長さＬａが当接部１６及び回転軸Ａの間の長さＬｂよりも長くなっているので、携帯端末１０を挿入する際の当接部１６の移動量が少なくても、接点部１７を大きく移動させることができる。
【産業上の利用可能性】
【００４６】
以上説明したように、本発明は、部品点数を抑制して、携帯端末を確実に充電することができるので、携帯端末を充電するための充電台全般について有用である。
【符号の説明】
【００４７】
Ａ      回転軸
Ｃ      凹部
Ｆ      側面
Ｓ      側部
９      端子部
１０    携帯電話機（携帯端末）
１５    充電レバー
１６    当接部
１７    接点部
２０    充電台
【図１】
2014079088.tif 000003
【図２】
2014079088.tif 000004
【図３】
2014079088.tif 000005
【図４】
2014079088.tif 000006
【図５】
2014079088.tif 000007
【図６】
2014079088.tif 000008